(57)【要約】【課題】記憶媒体との通信速度及び表示する画像数に応じた画像表示を行えるようにする。【解決手段】画像ファイルが記憶されている記憶媒体との通信速度を取得する取得手段と、記憶媒体から画像ファイルの画像を読み出して同時に複数の画像を表示手段に表示させる表示制御手段と、を有し、記憶媒体には、第１の画像サイズの第１の画像と、第１の画像サイズより大きい第２の画像サイズの第２の画像とが記憶されており、表示制御手段は、記憶媒体との通信速度、及び、表示手段に表示する画像数に応じて、表示に使用する画像サイズを決定し画像を表示させ、記憶媒体との通信速度及び表示する画像数に応じた画像サイズでの画像表示を行えるようにする。【選択図】図１
2020201431.tif 000002
【特許請求の範囲】
【請求項１】
画像ファイルが記憶されている記憶媒体との通信速度を取得する取得手段と、
前記記憶媒体から画像ファイルの画像を読み出して同時に複数の画像を表示手段に表示させる表示制御手段と、を有し、
前記記憶媒体には、第１の画像サイズの第１の画像と、前記第１の画像サイズより大きい第２の画像サイズの第２の画像とが記憶されており、
前記表示制御手段は、前記記憶媒体との通信速度、及び、前記表示手段に表示する画像数に応じて、表示に使用する画像サイズを決定し画像を表示させることを特徴とする画像処理装置。
【請求項２】
前記表示制御手段は、前記記憶媒体との通信速度が第１のしきい値より速い、又は表示する前記画像数が第２のしきい値より少ない場合、前記第２の画像を表示に使用すると決定することを特徴とする請求項１に記載の画像処理装置。
【請求項３】
前記第１の画像はサムネイル画像であることを特徴とする請求項２に記載の画像処理装置。
【請求項４】
前記記憶媒体には、さらに前記第２の画像よりも画像サイズの大きい本画像が記憶されており、前記本画像は、ユーザに設定された記録サイズに応じたサイズの画像であることを特徴とする請求項３に記載の画像処理装置。
【請求項５】
前記第１の画像サイズの第１の画像と前記第２の画像サイズの第２の画像は、異なる画像ファイルとして記録されていることを特徴とする請求項１乃至４のいずれか１項に記載の画像処理装置。
【請求項６】
前記第１の画像サイズの第１の画像と前記第２の画像サイズの第２の画像は、同じ画像ファイルに記録されていることを特徴とする請求項１乃至４のいずれか１項に記載の画像処理装置。
【請求項７】
前記第１の画像サイズの第１の画像と、前記第２の画像サイズの第２の画像と、ユーザに設定された記録サイズに応じた前記第２の画像サイズよりも大きいサイズの本画像とが、同じ画像ファイルに記録されていることを特徴とする請求項６に記載の画像処理装置。
【請求項８】
前記表示制御手段は、前記記憶媒体との通信速度、及び、前記表示手段に複数の画像を表示する際の画像の行数又は列数に応じて、表示に使用する画像サイズを決定することを特徴とする請求項１乃至７のいずれか１項に記載の画像処理装置。
【請求項９】
画像を絞り込んで表示する場合には、前記第２のしきい値を上げることを特徴とする請求項２乃至４のいずれか１項に記載の画像処理装置。
【請求項１０】
画像に異なる画像効果が掛けられて撮影された画像グループの画像を表示する場合には、前記第２のしきい値を上げることを特徴とする請求項２乃至４のいずれか１項に記載の画像処理装置。
【請求項１１】
連写で撮影された一定枚数以下の画像グループの画像を表示する場合には、前記第２のしきい値を上げることを特徴とする請求項２乃至４のいずれか１項に記載の画像処理装置。
【請求項１２】
前記表示制御手段による制御に従って、前記記憶媒体から読み出される複数の画像を同時に表示する表示手段を有することを特徴とする請求項１乃至１１のいずれか１項に記載の画像処理装置。
【請求項１３】
画像ファイルが記憶されている記憶媒体との通信速度を取得する取得工程と、
前記記憶媒体から画像ファイルの画像を読み出して同時に複数の画像を表示手段に表示させる表示制御工程と、を有し、
前記記憶媒体には、第１の画像サイズの第１の画像と、前記第１の画像サイズより大きい第２の画像サイズの第２の画像とが記憶されており、
前記表示制御工程では、前記記憶媒体との通信速度、及び、前記表示手段に表示する画像数に応じて、表示に使用する画像サイズを決定し画像を表示させることを特徴とする画像処理方法。
【請求項１４】
画像ファイルが記憶されている記憶媒体との通信速度を取得する取得ステップと、
前記記憶媒体から画像ファイルの画像を読み出して同時に複数の画像を表示手段に表示させる表示制御ステップと、をコンピュータに実行させ、
前記記憶媒体には、第１の画像サイズの第１の画像と、前記第１の画像サイズより大きい第２の画像サイズの第２の画像とが記憶されており、
前記表示制御ステップでは、前記記憶媒体との通信速度、及び、前記表示手段に表示する画像数に応じて、表示に使用する画像サイズを決定し画像を表示させる処理をコンピュータに実行させるためのプログラム。
【発明の詳細な説明】
【技術分野】
【０００１】
本発明は、画像処理装置、画像処理方法、及びプログラムに関する。
【背景技術】
【０００２】
記憶媒体に保存されている画像のプレビューを表示する際、画像を綺麗に表示するためには、良好な画質で画像サイズが大きい画像を表示することが望ましい。ただし、表示する画像が同時に複数あるような場合、画像サイズが大きくなるとプレビューを素早く表示することができない場合がある。また、記憶媒体との通信速度が低速な場合にもプレビューを素早く表示することができない場合がある。
【０００３】
そこで、記憶媒体との通信速度を検知して、その通信速度に応じて使用する画像を変更する方法が提案されている（特許文献１参照）。また、画面上の画像表示サイズに応じて、使用する画像を変更する方法も提案されている（特許文献２参照）。
【先行技術文献】
【特許文献】
【０００４】
【特許文献１】特開２００４−１２０５７２号公報
【特許文献２】特開平７−１２３１３１号公報
【発明の概要】
【発明が解決しようとする課題】
【０００５】
しかし、特許文献１に記載の方法では、プレビューとして表示する画像数に応じて使用する画像を変更することができない。そのため、表示画像数が最も多い場合の表示速度を考慮して、使用する画像を選択する必要がある。また、特許文献２に記載の方法では、記憶媒体との通信速度に応じて使用する画像を変更することができない。そのため、記憶媒体との通信速度が最も遅い場合の表示速度を考慮して、使用する画像を選択する必要がある。
【０００６】
本発明は、このような事情に鑑みてなされたものであり、記憶媒体との通信速度及び表示する画像数に応じた画像表示を行えるようにすることを目的とする。
【課題を解決するための手段】
【０００７】
本発明に係る画像処理装置は、画像ファイルが記憶されている記憶媒体との通信速度を取得する取得手段と、前記記憶媒体から画像ファイルの画像を読み出して同時に複数の画像を表示手段に表示させる表示制御手段と、を有し、前記記憶媒体には、第１の画像サイズの第１の画像と、前記第１の画像サイズより大きい第２の画像サイズの第２の画像とが記憶されており、前記表示制御手段は、前記記憶媒体との通信速度、及び、前記表示手段に表示する画像数に応じて、表示に使用する画像サイズを決定し画像を表示させることを特徴とする。
【発明の効果】
【０００８】
本発明によれば、記憶媒体との通信速度及び表示する画像数に応じた画像表示を行うことが可能となる。
【図面の簡単な説明】
【０００９】
【図１】本発明の実施形態における画像処理装置の構成例を示す図である。
【図２】本実施形態における画像処理装置の動作例を示すフローチャートである。
【図３】第１の実施形態における画像表示を説明する図である。
【図４】第１の実施形態における画像表示の例を示す図である。
【図５】第２の実施形態における画像表示を説明する図である。
【図６】第２の実施形態における画像表示の例を示す図である。
【発明を実施するための形態】
【００１０】
以下、本発明の実施形態を図面に基づいて説明する。
【００１１】
（第１の実施形態）
本発明の第１の実施形態について説明する。
図１は、本発明を適用可能な画像処理装置１００の構成例を示す図である。本実施形態における画像処理装置１００は、例えばパーソナルコンピュータ等を用いて構成可能である。
【００１２】
画像処理装置１００は、ＣＰＵ１０１、メモリ１０２、不揮発性メモリ１０３、画像処理部１０４、ディスプレイ１０５、操作部１０６、記憶媒体インターフェース（Ｉ／Ｆ）１０７、外部Ｉ／Ｆ１０９、通信Ｉ／Ｆ１１０、及び内部バス１５０を有する。内部バス１５０に対して、ＣＰＵ１０１、メモリ１０２、不揮発性メモリ１０３、画像処理部１０４、ディスプレイ１０５、操作部１０６、記録媒体Ｉ／Ｆ１０７、外部Ｉ／Ｆ１０９、及び通信Ｉ／Ｆ１１０が接続されている。内部バス１５０に接続される各部は、内部バス１５０を介して互いにデータのやりとりを行うことが可能である。
【００１３】
ＣＰＵ１０１は、画像処理装置１００の各部を制御する。メモリ１０２は、例えばＲＡＭ（半導体素子を利用した揮発性のメモリ等）である。不揮発性メモリ１０３には、画像データや音声データ、その他のデータ、ＣＰＵ１０１が動作するための各種プログラム等が格納される。不揮発性メモリ１０３は、例えばハードディスク（ＨＤ）やＲＯＭ等である。ＣＰＵ１０１は、例えば不揮発性メモリ１０３に格納されるプログラムに従い、メモリ１０２をワークメモリとして用いて、画像処理装置１００の各部を制御する。
【００１４】
画像処理部１０４は、ＣＰＵ１０１の制御に基づいて、不揮発性メモリ１０３や記憶媒体１０８に格納された画像データや、外部Ｉ／Ｆ１０９を介して取得した映像信号、通信Ｉ／Ｆ１１０を介して取得した画像データ等に対して各種画像処理を施す。画像処理部１０４が行う画像処理には、Ａ／Ｄ（アナログ−デジタル）変換処理、Ｄ／Ａ（デジタル−アナログ）変換処理、画像データの符号化処理、圧縮処理、デコード処理、拡大／縮小処理（リサイズ）、ノイズ低減処理、色変換処理等が含まれる。画像処理部１０４は、特定の画像処理を施すための専用の回路ブロックで構成しても良い。また、画像処理の種別によっては、画像処理部１０４を用いずに、ＣＰＵ１０１がプログラムに従って画像処理を施すことも可能である。
【００１５】
ディスプレイ１０５は、ＣＰＵ１０１の制御に基づいて、画像やＧＵＩ（ＧｒａｐｈｉｃａｌＵｓｅｒＩｎｔｅｒｆａｃｅ）を構成するＧＵＩ画面等を表示する。ＣＰＵ１０１は、プログラムに従い表示制御信号を生成し、ディスプレイ１０５に表示するための映像信号を生成してディスプレイ１０５に出力するように画像処理装置１００の各部を制御する。ディスプレイ１０５は、出力された映像信号に基づいて映像を表示する。なお、画像処理装置１００自体が備える構成としては、ディスプレイ１０５に表示させるための映像信号を出力するインターフェースまでとし、ディスプレイ１０５は外付けのモニタ（テレビなど）で構成してもよい。
【００１６】
操作部１０６は、ユーザ操作を受け付けるための入力デバイスである。操作部１０６は、キーボード等の文字情報入力デバイスや、マウスやタッチパネルといったポインティングデバイス、ボタン、ダイヤル、ジョイスティック、タッチセンサ、タッチパッド等を含む。なお、タッチパネルは、ディスプレイ１０５に重ね合わせて平面的に構成され、接触された位置に応じた座標情報が出力されるようにした入力デバイスである。
【００１７】
記憶媒体Ｉ／Ｆ１０７は、メモリカードやＣＤ、ＤＶＤといった記憶媒体１０８が装着可能とされ、ＣＰＵ１０１の制御に基づき、装着された記憶媒体１０８に対するデータの読み出しや書き込みを行う。外部Ｉ／Ｆ１０９は、外部機器と有線ケーブルや無線によって接続し、映像信号や音声信号の入出力を行うためのインターフェースである。通信Ｉ／Ｆ１１０は、外部機器やネットワーク１１１等を介した通信を行い、ファイルやコマンド等の各種データの送受信を行うためのインターフェースである。
【００１８】
なお、本実施形態における画像処理装置を、パーソナルコンピュータを用いて構成した例を説明したが、本実施形態における画像処理装置は、これに限定されるものではない。すなわち、本実施形態における画像処理装置は、例えばデジタルカメラ等の撮像装置に適用してもよい。また、メモリカード等のデジタルカメラが読み取り可能な記憶媒体に格納された撮影画像を、デジタルカメラが有する背面液晶装置等のディスプレイに再生表示する際にも、本発明は適用可能である。さらに、ＰＤＡ、携帯電話端末や携帯型の画像ビューワ、ディスプレイを備えるプリンタ装置、デジタルフォトフレーム、音楽プレーヤー、ゲーム機、電子ブックリーダー等の、画像を表示可能な装置であれば、本発明は適用可能である。
【００１９】
次に、第１の実施形態における画像処理装置１００の動作について説明する。以下では、画像処理装置１００のディスプレイ１０５に、記憶媒体１０８に保存されている画像のプレビューを表示する際の動作を説明する。本実施形態において使用するプレビュー用の画像ファイルは、サムネイル画像と、マルチピクチャーフォーマット（以下、「ＭＰＦ」）画像との２種類とする。そして、プレビュー用の画像ファイルとは別に、ユーザにより指定された記録サイズの本画像が格納される画像ファイルも記憶媒体１０８に保存されているものとする。また、ＭＰＦ画像の画像サイズは、サムネイル画像よりも大きく、本画像よりも小さいものとする。また、以下の説明では、画像プレビューの表示段数に応じて画像処理装置１００のディスプレイ１０５に表示する画像数が変わるものとし、表示段数は、１段が表示する画像数が最も少ない状態とし、４段が表示する画像数が最も多い状態とする。ディスプレイ１０５には、Ｍ×Ｎ個の画像を並べて行列表示するものとし、表示段数とは、画像を行列に並べて表示する際の画像の行数または列数である。つまり、１列又は１行に表示される画像の数ともいえる。表示段数と表示される画像の画像数は相関があるため、表示される画像数を用いてもよい。
【００２０】
図２は、第１の実施形態における画像処理装置１００の動作例を示すフローチャートである。図２には、画像処理装置１００が、記憶媒体１０８に保存されている画像のプレビューをディスプレイ１０５に表示する動作を示している。図２に示すフローチャートおける各処理は、ＣＰＵ１０１が不揮発性メモリ１０３に格納されたプログラムをメモリ１０２に展開して実行することにより実現される。
【００２１】
ステップＳ２０１で、ＣＰＵ１０１は、記憶媒体１０８のデータ読み込み速度、言い換えれば記憶媒体１０８との通信速度を取得する。具体的には、ＣＰＵ１０１が記憶媒体１０８に対してデータの読み込み速度の取得要求を記憶媒体Ｉ／Ｆ１０７を介して送信する。その取得要求に応じて記憶媒体１０８から送信されたデータ読み込み速度を、ＣＰＵ１０１が記憶媒体Ｉ／Ｆ１０７を介して受信することによりデータ読み込み速度を取得する。
【００２２】
ステップＳ２０２で、ＣＰＵ１０１は、画像処理装置１００の再生モードが画像を複数段数で再生表示するモードであるか否かを判断する。すなわち、ＣＰＵ１０１は、画像処理装置１００の再生モードが同時に複数の画像を表示するモードであるか否かを判断する。画像処理装置１００の再生モードが画像を複数段数で再生表示するモードであるとＣＰＵ１０１が判断した場合には、処理はステップＳ２０３に進み、そうでない場合には処理はステップＳ２０８に進む。
【００２３】
ステップＳ２０３で、ＣＰＵ１０１は、画像処理装置１００に設定されている表示段数を取得する。具体的には、ＣＰＵ１０１がメモリ１０２に対して表示段数の取得要求を内部バス１５０を介して送信する。その取得要求に応じてメモリ１０２から送信された表示段数を、ＣＰＵ１０１が内部バス１５０を介して受信することにより表示段数を取得する。
【００２４】
ステップＳ２０４で、ＣＰＵ１０１は、ステップＳ２０１において取得した記憶媒体１０８のデータ読み込み速度と、ステップＳ２０３において取得した画像処理装置１００での表示段数とから、ディスプレイ１０５に表示するための画像ファイルを決定する。ディスプレイ１０５に表示するための画像ファイルがＭＰＦファイルであるとＣＰＵ１０１が決定した場合には、処理はステップＳ２０５に進み、サムネイルであるとＣＰＵ１０１が決定した場合には、処理はステップＳ２０６に進む。ディスプレイ１０５に表示するための画像ファイルの決定方法については、図３を参照して後述する。
【００２５】
ステップＳ２０５で、ＣＰＵ１０１は、記憶媒体１０８に保存されている各画像のＭＰＦファイルをディスプレイ１０５に表示する。なお、記憶媒体１０８に保存されている画像の中にＭＰＦファイルを保持していない画像があった場合、例えば画像データをそのままディスプレイ１０５に表示すればよい。
【００２６】
ステップＳ２０６で、ＣＰＵ１０１は、記憶媒体１０８に保存されている各画像のサムネイルをディスプレイ１０５に表示する。
【００２７】
ステップＳ２０７で、ＣＰＵ１０１は、画像処理装置１００での画像プレビューの表示段数の設定が変更されたか否かを判断する。画像処理装置１００での表示段数の設定が変更されたとＣＰＵ１０１が判断した場合には、処理はステップＳ２０２に進み、そうでない場合には処理はステップＳ２０８に進む。
【００２８】
ステップＳ２０８で、ＣＰＵ１０１は、画像処理装置１００の再生モードが画像を複数段数で再生表示するモードとは別のモードに変更されたか否かを判断する。画像処理装置１００の再生モードが画像を複数段数で再生表示するモードとは別のモードに変更されたとＣＰＵ１０１が判断した場合には、処理はステップＳ２０２に進み、そうでない場合には処理はステップＳ２０９に進む。
【００２９】
ステップＳ２０９で、ＣＰＵ１０１は、画像処理装置１００において電源ＯＦＦの操作がなされたか否かを判断する。画像処理装置１００において電源ＯＦＦの操作が行われたとＣＰＵ１０１が判断した場合には、画像処理装置１００の電源をＯＦＦにし、そうでない場合には処理はステップＳ２０２に進む。
【００３０】
なお、前述した例では、画像プレビューにＭＰＦ画像とサムネイル画像を使用する例を示したが、これに限定されるものではない。本実施形態では、画像プレビューに使用する画像として、画像サイズの異なる他のフォーマットの画像を適用しても良い。例えばＭＰＦ画像を本画像自身に置き換えても良いし、画像サイズの異なる２つのＭＰＦ画像としても良い。
【００３１】
図３を参照して、画像処理装置１００のディスプレイ１０５に、記憶媒体１０８に保存されている画像のプレビューをＣＰＵ１０１が表示させる際に、どの画像を表示するか決定する方法について説明する。図３に示すように、ＣＰＵ１０１は、記憶媒体１０８との通信速度（データ読み込み速度）とディスプレイ１０５に表示する画像の表示段数との組み合わせから、画像プレビューに使用する画像を決定する。
【００３２】
図３に示す例では、表示段数が１段及び２段である場合、画像プレビューには、記憶媒体１０８との通信速度にかかわらず、すべてＭＰＦ画像を使用する。また、表示段数が３段である場合、記憶媒体１０８との通信速度が中速又は高速であれば、画像プレビューにはＭＰＦ画像を使用し、低速であれば、画像プレビューにはサムネイル画像を使用する。また、表示段数が４段である場合、記憶媒体１０８との通信速度が高速であれば、画像プレビューにはＭＰＦ画像を使用し、中速以下であれば、画像プレビューにはサムネイル画像を使用する。
【００３３】
図４を参照して、画像処理装置１００のディスプレイ１０５に、記憶媒体１０８に保存されている画像のプレビューを、ＣＰＵ１０１が表示する際の説明を行う。図４（Ａ）及び図４（Ｂ）は、第１の実施形態における画像表示の例を示す図である。
【００３４】
図４（Ａ）に示すプレビュー画面４０１は、記憶媒体１０８に保存されているＭＰＦ画像を使用してディスプレイ１０５に表示される画面の例である。プレビュー画面４０１では、表示段数が３段であり、記憶媒体１０８として通信速度が高速な記憶媒体４０２を使っているため、使用する画像はＭＰＦ画像となる。
【００３５】
一方、図４（Ｂ）に示すプレビュー画面４０３は、記憶媒体１０８に保存されているサムネイル画像を使用してディスプレイ１０５に表示される画面の例である。プレビュー画面４０３では、図４（Ａ）に示した例と同様に表示段数が３段であるが、記憶媒体１０８として通信速度が低速な記憶媒体４０４を使っているため、使用する画像がサムネイル画像となっている。
【００３６】
このように第１の実施形態によれば、記憶媒体１０８との通信速度及び画像プレビューでの表示段数（表示する画像数）との組み合わせに基づいて、画像サイズが異なる画像の内から画像プレビューに使用する画像を決定する。これにより、記憶媒体１０８との通信速度及び画像プレビューでの表示段数（表示する画像数）とに応じて、表示に使用する画像サイズを切り換えることが可能となり、複数の画像を同時に表示する場合に素早く画像表示を行うことができる。
【００３７】
（第２の実施形態）
次に、本発明の第２の実施形態について説明する。以下では、記憶媒体１０８に保存されている画像を絞り込んで、画像処理装置１００のディスプレイ１０５にプレビュー表示する例について説明する。画像の絞り込みとは、記憶媒体１０８に保存されている画像を、日付、お気に入り、保護、レーティング（ランク付け）等の条件で抽出した状態のことである。なお、画像処理装置１００の構成及び記憶媒体１０８に保存されている画像のプレビューを表示する際の動作は、第１の実施形態において図１及び図２に示した構成及び動作と同様であるので説明は省略する。
【００３８】
図５を参照して、画像処理装置１００のディスプレイ１０５に、記憶媒体１０８に保存されている画像を絞り込んで、そのプレビューをＣＰＵ１０１が表示させる際に、どの画像を使用するか決定する方法について説明する。図５に示すように、ＣＰＵ１０１は、記憶媒体１０８との通信速度（データ読み込み速度）とディスプレイ１０５に表示する画像の表示段数との組み合わせから、画像プレビューに使用する画像を決定する。
【００３９】
記憶媒体１０８に保存されている画像を絞り込んでのプレビュー表示では、表示段数が１段、２段、及び３段である場合、画像プレビューには、記憶媒体１０８との通信速度にかかわらず、すべてＭＰＦ画像を使用する。また、表示段数が４段である場合、記憶媒体１０８との通信速度が中速又は高速であれば、画像プレビューにはＭＰＦ画像を使用し、低速であれば、画像プレビューにはサムネイル画像を使用する。このように画像を絞り込んだプレビュー表示では、ユーザが閲覧を望む画像を表示することが考えられるので、通常よりも画像を綺麗に表示するために、表示にＭＰＦ画像を使用する表示段数のしきい値を上げる。
【００４０】
図６を参照して、画像処理装置１００のディスプレイ１０５に、記憶媒体１０８に保存されている絞り込み画像のプレビューを、ＣＰＵ１０１が表示する際の説明を行う。図６（Ａ）及び図６（Ｂ）は、第２の実施形態における画像表示の例を示す図である。
【００４１】
図６（Ａ）に示すプレビュー画面６０１は、記憶媒体１０８に保存されているＭＰＦ画像を使用してディスプレイ１０５に表示される画面の例である。プレビュー画面６０１では、表示段数が３段であり、記憶媒体１０８として通信速度が低速な記憶媒体６０２を使っているため、使用する画像はＭＰＦ画像となる。
【００４２】
一方、図６（Ｂ）に示すプレビュー画面６０３は、記憶媒体１０８に保存されているサムネイル画像を使用してディスプレイ１０５に表示される画面の例である。プレビュー画面６０３では、表示段数が４段であり、記憶媒体１０８として通信速度が低速な記憶媒体６０４を使っているため、使用する画像がサムネイル画像となっている。
【００４３】
第２の実施形態によれば、第１の実施形態と同様に、記憶媒体１０８との通信速度及び画像プレビューでの表示段数とに応じて、表示に使用する画像サイズを切り換え、複数の画像を同時に表示する場合に素早く画像表示を行うことができる。また、画像の絞り込みが行われた場合に表示にＭＰＦ画像を使用する表示段数のしきい値を上げることで、ユーザが閲覧することを望んでいると考えられる画像を綺麗に表示することが可能となる。
【００４４】
なお、前述した実施形態において、画像の絞り込みが行われた例を説明したが、これに限定されるものではない。例えば、画像がグルーピングされているような画像に対して適用しても良い。例えば、同一の画像に異なる画像効果を掛けられた画像グループの画像や、連写で撮影された一定枚数以下のグループの画像を表示する場合等である。
【００４５】
また、上述の実施形態では、１つの画像に関して、本画像が格納された画像ファイルと、サムネイル画像が格納されたサムネイル画像ファイル、ＭＰＦ画像が格納されたＭＰＦファイルとが記録媒体１０８に記録されているものとした。しかし、１つの画像ファイル内に、本画像、サムネイル画像、ＭＰＦ画像が記録されている状態においても本発明は適応可能である。この場合、各画像について、複数サイズの画像が格納された画像ファイルの中から、表示に使用すると決定されたサイズの画像を読み出し、表示するようにする。
【００４６】
（本発明の他の実施形態）
本発明は、前述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００４７】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００４８】
１００：画像処理装置  １０１：ＣＰＵ  １０２：メモリ  １０３：不揮発性メモリ  １０４：画像処理部  １０５：ディスプレイ  １０６：操作部  １０７：記憶媒体Ｉ／Ｆ  １０８：記憶媒体  １０９：外部Ｉ／Ｆ  １１０：通信Ｉ／Ｆ
【図１】
2020201431.tif 000003
【図２】
2020201431.tif 000004
【図３】
2020201431.tif 000005
【図４】
2020201431.tif 000006
【図５】
2020201431.tif 000007
【図６】
2020201431.tif 000008